(57)【要約】  脊椎ケージ（１）であって、１対の対向する機能的側部（２、３）と、少なくとも別の１対の対向する機能的側部（４、５）とを含み、それによって少なくとも２つの異なる位置に脊椎ケージを配置し、少なくとも２つの異なる構成をもたらすことができる、前記脊椎ケージ。
2017513642.tif 000002
【特許請求の範囲】
【請求項１】
脊椎ケージ（１）であって、
１対の対向する機能的側部（２、３）と、
少なくとも別の１対の対向する機能的側部（４、５）とを含み、
それによって少なくとも２つの異なる位置に該脊椎ケージを配置し、少なくとも２つの異なる構成をもたらすことができる、前記脊椎ケージ。
【請求項２】
一方の対の側部（２、３）の幅（ｄ１、ｄ２）は、他方の対の側部（４、５）の幅とは異なる、請求項１に記載のケージ。
【請求項３】
幅は、互いに独立している、請求項１または２に記載のケージ。
【請求項４】
幅は、所定の比例サイズを有する、請求項１〜３のいずれか１項に記載のケージ。
【請求項５】
一方の対の側部の形状は、他方の対の側部の形状とは異なる、請求項１〜４のいずれか１項に記載のケージ。
【請求項６】
各側部は、組織構造を有する面を含む、請求項１〜５のいずれか１項に記載のケージ。
【請求項７】
一方の対の側部の組織構造は、他方の対の側部の組織構造とは異なる、請求項６に記載のケージ。
【請求項８】
請求項１〜７のいずれか１項に記載の複数のケージを含む、脊椎ケージのキット。
【請求項９】
請求項１〜８のいずれか１項に記載の脊椎ケージを使用する方法。
【請求項１０】
均質材料と、柱状型構造体とを組み合わせた材料で作られたケージ。
【発明の詳細な説明】
【技術分野】
【０００１】
本発明は、例えば脊椎の２つ以上の椎骨間で脊椎固定（ｓｐｉｎａｌ  ｆｕｓｉｏｎ）を実施するための脊椎ケージ（ｓｐｉｎｅ  ｃａｇｅ）の分野に関する。
【背景技術】
【０００２】
例えば、特許文献１、特許文献２、および特許文献３は、そのような脊椎ケージを示す。
【０００３】
特許文献１は、器具によって把持するためのデバイスを備えた、本質的に立方体からなる椎間腔用インプラントを開示している。
【０００４】
特許文献２は、ハウジング、可動部材、摺動部材、およびねじを含む脊椎固定ケージを示す。ハウジングの上面は、開口部を有し、そこから可動部材を垂直方向に動かすことができる。摺動部材は、ハウジング内に設けられ、脊椎固定ケージの長手方向に動かすことができる。可動部材は、起動表面を有する。起動表面が摺動部材と接触している場合、摺動部材を脊椎固定ケージの長手方向に動かすことによって、可動部材が上下に動く。摺動部材はねじを回すことによって動き、それによって可動部材が上下に動くことができる。
【０００５】
特許文献３は、外傷、疾患、および／または変性状態の治療において、椎間腔に選択的に配設され、展開され、それによって患者の脊椎の一部分をその場でずらし（ｄｉｓｔｒａｃｔ）、位置合せし直し（ｒｅａｌｉｇｎ）、かつ／または安定化もしくは固定させることができる拡張可能な椎間インプラントを提供する。この拡張可能な椎間インプラントは、上方部材、および下方部材を含み、これらの部材は各々、部分的に、または実質的に楔形状もしくは角柱形状を有し、かつ部分的に、または実質的に凸状もしくは他の形状の表面を有し、こうした表面は、関連する骨の上方および下方の椎間端板（ｉｎｔｅｒｖｅｒｔｅｂｒａｌ  ｅｎｄｐｌａｔｅ）の実質的に凹状の表面に係合するように適している。拡張可能な椎間インプラントは、椎間腔に配設された後、作動して展開し、上方部材と下方部材とが互いに離れて動き、関連する椎間端板に当たって着座し、これらの椎間端板を所望の程度までずらし、位置合せし直し、かつ／または安定化させる。上方部材、および下方部材の各々の外面には、複数の隆起または他の摩擦構造体が設けられ、関連する椎間端板との引掛り（ｐｕｒｃｈａｓｅ）をもたらす。
【先行技術文献】
【特許文献】
【０００６】
【特許文献１】米国特許第５８８８２２４号
【特許文献２】米国特許出願公開第２０１１／００１５７４２号
【特許文献３】米国特許出願公開第２０１１／０１７２７７４号
【発明の概要】
【発明が解決しようとする課題】
【０００７】
本発明の目的は、既知のデバイス、および脊椎ケージを改良することである。
【０００８】
より具体的には、本発明の目的は、従来技術のケージよりも単純で、かつ効率のよい脊椎ケージを提供することである。
【課題を解決するための手段】
【０００９】
この趣旨で、ケージが特許請求の範囲の特徴によって規定されている。
【００１０】
本明細書では、「機能的側部」とは、ケージの、椎骨と直接接触している側部を指す。
【００１１】
本発明の様々な実施形態について、以下の明細書に記載する。
【００１２】
本発明について、添付の図面を参照しながら説明する。
【図面の簡単な説明】
【００１３】
【図１】本発明の脊椎ケージの一実施形態の斜視図である。
【図２】本発明の脊椎ケージの一実施形態の側面図である。
【図３】図２の切断面Ｂ−Ｂに沿った断面図である。
【図４】図２の切断面Ａ−Ａに沿った断面図である。
【図５】本発明の脊椎ケージの一実施形態の上面図である。
【発明を実施するための形態】
【００１４】
図に、本発明の脊椎ケージ１の一実施形態を示す。
【００１５】
このケージは、２つの側面２〜３、ならびに上面４および底面５を有する細長い本体を含む。
【００１６】
前記面２〜５の各々は、開口部１２、１３、１４、および１５を含む。前記面の各々はまた、ケージを定位置に維持するための、規則的、または不規則な形状、例えば刻み目（ｓｅｒｒａｔｉｏｎ）または他の均等ないかなる表面もしくは形状（例えば歯状部、角錐部など）の構造体またはパターンを含む。（一次固定（ｐｒｉｍａｒｙ  ｆｉｘａｔｉｏｎ））
【００１７】
さらに、図２、３、および５から理解できるように、側部２、３、および４、５の各対の幅が異なり、したがって方形ではなく矩形を形成する（図３参照）。この寸法は、図２および５のｄ１およびｄ２によって示されている。典型的には、側部２、３の幅ｄ１は、側部４、５の幅ｄ２よりも大きい。
【００１８】
したがって、本明細書の概念は、ケージを９０°回転させることによって、２つの異なる寸法を有する、少なくとも２つの異なる位置に配置することができる脊椎ケージを提供することである。したがって、同じケージでも、サイズを非常に容易に変えることができ、例えば従来技術の複雑な拡張システムを回避することができる。
【００１９】
側部２、３、および４、５の各対間のケージ幅ｄ１とｄ２との増分（ｉｎｃｒｅｍｅｎｔ）は、０．５ｍｍ、１ｍｍ、またはそれ以上でもよい。あるいは、幅ｄ１とｄ２とは、固定の比例サイズを有しても、有しなくてもよい。
【００２０】
例示のように、ケージは、脊椎骨の端板によりよく一次固定されるように、ケージのどの面にも、ほぼ同じパターン／鋸歯状構造体を示すオープン構造体を有する。
【００２１】
本発明による別の実施形態（図示せず）では、一方の対の側部の形状は、他方の対の側部の形状とは異なる。
【００２２】
これら２対の対の側部はまた、組織構造（ｓｔｒｕｃｔｕｒａｔｉｏｎ）などの他のパラメータに関して異なっていてもよい。
【００２３】
本発明によるケージはまた、３対以上の側部を含んでもよい。
【００２４】
したがって、同じケージを用いて、そのケージを挿入するのに選択される位置に応じて、少なくとも２つの異なる構成をもたらすことができる。３つ以上の面が機能的であるので、所与の患者に最も適した適切な構成を見つけて選択するだけでよい。
【００２５】
典型的には、本発明によるケージは、いくつかの「構成」、例えば様々な相対寸法または比例する側部、形状、または組織構造を有するキットとして設けることができる。
【００２６】
本発明はまた、本明細書に記載の脊椎ケージを使用する方法に関する。本方法によれば、前記ケージの少なくとも１つが、椎間腔に配置される。
【００２７】
ＰＬＩＦ手法の場合、通常は２つのケージが、前記椎間腔に配置される。ＴＬＩＦ、ＸＬＩＦ、およびＡＬＩＦの場合は、通常、ケージは１つだけである。
【００２８】
本明細書に示す例は、例示の目的にすぎず、限定的に解釈すべきではない。均等な手段を用いた他の構成も可能であり、本発明の趣旨および範囲に含まれる。本明細書に記載の実施形態はまた、所望のように組み合わせてもよい。
【００２９】
先に述べたように、脊椎ケージは、５つ以上の側部、例えば６つまたは８つの側部を含んでもよく、これらの側部には、互いに面する対の側部の各々について、本発明の原理に従って異なる寸法、形状、または角度が設けられる。
【００３０】
本発明のケージは、金属、合金、または合成材料など、適切ないかなる材料でも作成することができる。ケージは、例えば、均質材料、または柱状型構造体材料、または両者を組み合わせた材料で作成することができる。
【図１】
2017513642.tif 000003
【図２】
2017513642.tif 000004
【図３】
2017513642.tif 000005
【図４】
2017513642.tif 000006
【図５】
2017513642.tif 000007
【国際調査報告】
2017513642.tif 000008
2017513642.tif 000009